【手続補正書】
【提出日】平成17年6月20日(2005.6.20)
【手続補正１】
【補正対象書類名】明細書
【補正対象項目名】全文
【補正方法】変更
【補正の内容】
【書類名】  明細書
【発明の名称】  係脱具付咬合スライドファスナー
【特許請求の範囲】
【請求項１】  熱可塑性樹脂製の凹条１と凸条２とが咬合するスライドファスナーにおいて、凹条１と凸条２との咬合部４、７の終端における凸条２のスライダーガイド部１７を除去し、スライダー４１のサイドから凸条咬合部７を挿入して凹条咬合部４に係合可能に形成し、凹条１と凸条２との終端を係脱できる係脱具２０を凹条１と凸条２とにそれぞれ一体に配設したことを特徴とする係脱具付咬合スライドファスナー。  
【請求項２】  凹条咬合部４は両側または一方の先端に内向のフック状の係止片１１を備え、凸条咬合部７を嵌合できる嵌合凹部１０を形成し、嵌合凹部１０の底部１２外側に凹条支持片５を一体に配設するとともにスライダーガイド部１３を形成し、凸条咬合部７は断面きのこ状またはフック状の係合頭部１５を設け、係合頭部１５の後方に間隔をおいてスライダーガイド部１７を突設し、該ガイド部１７の外側に凸条支持片８を一体に配設してなる請求項１記載の係脱具付咬合スライドファスナー。
【請求項３】  スライダーガイド部１７を除去した除去部１８は、少なくともスライダー４１のガイドフランジ４４の長さに相当する部分を除去してなる請求項１または２記載の係脱具付咬合スライドファスナー。
【請求項４】  係脱具２０は、凹条咬合部４を被う被覆部２１と該被覆部２１に連接して凹条支持片５を挟着する挟着部２２を設け、被覆部２１の端部に雌雄止具２９，３４の一方を配し、凸条咬合部７を挟持する挟持部２５と該挟持部２５に連接して凸条支持片８を挟着する挟着部２６を設け、挟持部２５の端部に雌雄止具２９，３４の他方を配してなる請求項１または２記載の係脱具付咬合スライドファスナー。
【請求項５】  係脱具２０は、凹条咬合部４の前方をやや拡げて、凹条咬合部４を埋装する被覆部２１を設けてなる請求項４記載の係脱具付咬合スライドファスナー。
【請求項６】  係脱具２０は、凹条咬合部４の前方を除く三方を被う被覆部２１を設けてなる請求項４記載の係脱具付咬合スライドファスナー。
【請求項７】  被覆部２１の上下表面に奥行がやや拡大する浅い溝状の被係合部２３を設け、挟持部２５の前面に先端がやや拡大する突起状の係合部２７を設け、被係合部２３と係合部２７とが係脱可能に形成してなる請求項４記載の係脱具付咬合スライドファスナー。
【請求項８】  雌雄止具２９、３４における雄止具３４は、平板３５上に弾性変形可能な係合突起３６を突設し、雌止具２９は平板３０上に係合突起３６が嵌合できる係合孔３１を設けてなる請求項４記載の係脱具付咬合スライドファスナー。
【請求項９】  凹条支持片５および凸条支持片８における係脱具２０を装着する個所に透孔状の取付孔１９を複数個穿設して係脱具２０を射出成形してなる請求項４記載の係脱具付咬合スライドファスナー。
【請求項１０】  係脱具２０は、凹条１の被覆部２１および挟着部２２、また凸条２の挟持部２５および挟着部２６、さらに雌雄止具２９、３４を熱可塑性樹脂を用いて一体成形し、該係脱具２０を凹条１および凸条２の端部に嵌装し、各支持片５、８に溶着または接着して固定してなる請求項４記載の係脱具付咬合スライドファスナー。
【請求項１１】  係脱具２０は、凹条１の被覆部２１および挟着部２２、また凸条２の挟持部２５および挟着部２６、さらに雌雄止具２９、３４を金属を用いて一体成形し、該係脱具２０を凹条１および凸条２の端部に嵌装し、各支持片５、８に加圧挟着して固定してなる請求項４記載の係脱具付咬合スライドファスナー。
【請求項１２】  スライダー４１は、凹条１側では凹条咬合部４の外側面に摺接するガイドフランジ４４を設け、また凸条２側には凸条咬合部７の後方に配したスライダーガイド部１７の外側面に摺接するガイドフランジ４４を設け、凸条２側のガイドフランジ４４間の間隔は少なくとも凸条咬合部７の厚さと同等に形成してなる請求項１または２記載の係脱具付咬合スライドファスナー。
【発明の詳細な説明】
【０００１】
【発明の属する技術分野】
この発明は、熱可塑性樹脂から成形された凹条と凸条とが咬合する水気密性を備えた、一般にレール状ファスナーとも呼ばれるスライドファスナーであって、凹条と凸条の端部に係脱具または開き具を備えて左右に分離でき、また係脱具を係合させスライダーの摺動によって凹条と凸条とを咬合させることができる咬合スライドファスナーに関するものである。
【０００２】
【従来の技術】
従来、熱可塑性樹脂製の凹条と凸条とが咬合するスライドファスナーは、図１４に示すように左右に配した凹条と凸条の咬合条を咬合した状態で、凹条と凸条との咬合条の一端部を止金具で固定した咬合スライドファスナーが実公昭４８−３６００３号公報に開示されている。
【０００３】
また、図１５に示すように熱可塑性樹脂製の複数のフック条を一面に突設した凹凸条の咬合条から形成され、凹凸条と凹凸条とが咬合する咬合スライドファスナーにおいて、一方側の咬合条の一端部側に箱形止金具を取り付け、他端部側にスライダーの脱落防止用の突起を一体に形成し、箱形止金具を取り付けた咬合条の他端部と、他方側の咬合条で箱形止金具に嵌挿する側の端部とを平坦状に形成し、箱形止金具に他方側の咬合条を嵌挿してスライダーの摺動によって、咬合条を咬合させる分離可能な咬合スライドファスナーが実公昭３０−４４３号公報に開示されている。
【０００４】
【発明が解決しようとする課題】
前項で述べた図１４に示す第１例の咬合スライドファスナーは、一般によく知られている咬合スライドファスナーであり、左右に配された凹条と凸条との咬合条は、咬合状態で一端に取り付けた止金具によって固定されているため、凹条と凸条との咬合条は左右に完全に分離開放することができないので、使用範囲が限定され、分離開放される衣服などには使用できないなど問題点がある。
【０００５】
また、図１５に示す第２例の咬合スライドファスナーは、咬合する複数のフック条を突設した凹凸条の咬合条における一方側の咬合条の端部に箱形止金具を取り付けて、他方側の咬合条を嵌挿し咬合させるが、左右の咬合条を分離開放また咬合させるための操作がきわめて煩雑で、円滑な分離、咬合操作が行えず実用的な咬合スライドファスナーとは言えないなど問題点がある。
【０００６】
この発明は、上述の問題点を考慮して発明されたものであり、この発明のうち請求項１記載の発明は、熱可塑性樹脂から成形した凹条と凸条との咬合条が咬合するスライドファスナーにおいて、凹条と凸条とをスライダーの摺動操作によって、凹条と凸条とを簡単かつ円滑に分離開放また咬合させることができ、しかも凹条と凸条との終端に係合かつ抜脱が簡易にできる係脱具を一体に備え、スライダーのサイドから凸条を挿入し、または離脱ができる便利な係脱具付咬合スライドファスナーを提供することが主たる目的である。
【０００７】
請求項２記載の発明は、請求項１記載の発明の目的に加え、凹条と凸条とがスライダーの摺動操作によって開口、閉鎖され、なおかつ凸条が端部においてスライダーのサイドから挿入し凹条と咬合し、また離脱させるため、効率よく確実に機能が発揮できる凹条咬合部および凸条咬合部の形態を特定し、円滑な操作が実現できる係脱具付咬合スライドファスナーを提供することが目的である。
【０００８】
請求項３記載の発明は、請求項１または２記載の発明の目的に加え、凸条の凸条咬合部をスライダーのサイドから容易に凹条の凹条咬合部に挿入でき、スライダーとの間に無駄のない咬合機能が発揮できる係脱具付咬合スライドファスナーを提供することが目的である。
【０００９】
請求項４記載の発明は、請求項１または２記載の発明の目的に加え、凹条または凸条に装着する係脱具の形態を特定し、しかも係脱具を凹条支持片および凸条支持片に強固に取り付けることができ、かつ互いに係合離脱できる雌雄止具を係脱具に装備させ、この係脱具は凹条および凸条に簡易な手段によって、溶着または接着あるいはプレス加工ができる便利な係脱具付咬合スライドファスナーを提供することが目的である。
【００１０】
請求項５記載の発明は、請求項４記載の発明の目的に加え、係脱具には前方がやや拡開する凹条咬合部を埋装する被覆部を設け、凸条咬合部との係合が容易にできる係脱具付咬合スライドファスナーを提供することが目的である。
【００１１】
請求項６記載の発明は、請求項４記載の発明の目的に加え、係脱具における被覆部は、凹条咬合部の上下側面および後方の三方を被覆する形に設けて、堅牢な係脱具に仕上げた係脱具付咬合スライドファスナーを提供することが目的である。
【００１２】
請求項７記載の発明は、請求項４記載の発明の目的に加え、凹条の係脱具と凸条の係脱具とを結合した際、係脱具を係合する機能を備えた構造に構成し、凹条と凸条との咬合をより的確に行える係脱具付咬合スライドファスナーを提供することが目的である。
【００１３】
請求項８記載の発明は、請求項４記載の発明の目的に加え、係脱具に装備する雌雄止具の形態を特定し、係脱具の結合、分離機能を高めて品質および機能の向上を図った係脱具付咬合スライドファスナーを提供することが目的である。
【００１４】
請求項９記載の発明は、請求項４記載の発明の目的に加え、凹条および凸条の端部に係脱具を一体射出成形によって強固に固定でき、堅牢な取付強度のある係脱具付咬合スライドファスナーを提供することが目的である。
【００１５】
請求項１０記載の発明は、請求項４記載の発明の目的に加え、凹条および凸条の端部に装着する係脱具を熱可塑性樹脂から成形し、凹条および凸条の端部に咬合作動を妨げることなく、的確かつ簡易に装着できる係脱具付咬合スライドファスナーを提供することが目的である。
【００１６】
請求項１１記載の発明は、請求項４記載の発明の目的に加え、凹条および凸条の端部に装着する係脱具を金属から成形し、凹条および凸条の端部に咬合作動を妨げることなく、的確かつ簡易に装着できる係脱具付咬合スライドファスナーを提供することが目的である。
【００１７】
請求項１２記載の発明は、請求項１または２記載の発明の目的に加え、凹条と凸条とが咬合する咬合スライドファスナーに用いるスライダーであって、スライダーのサイドから一方の咬合条を挿入でき、的確かつ有効に機能を発揮できるスライダーの形態を特定し、円滑な開閉操作が行えるスライダーを備えた係脱具付咬合スライドファスナーを提供することが目的である。
【００１８】
【課題を解決するための手段】
前記の目的を達成するため、この発明のうち請求項１記載の発明は、咬合スライドファスナーが熱可塑性樹脂から成形された凹条１と凸条２とから形成し、凹条１と凸条２との咬合部４、７の終端における凸条２のスライダー４１をガイドするスライダーガイド部１７を除去し、この除去することによってスライダー４１のサイドから凸条２の凸条咬合部７を挿入し、凹条１の凹条咬合部４に係合できる形に形成し、かつ凹条１と凸条２との終端を係脱させることができる係脱具２０をそれぞれ凹条１と凸条２とに一体に配備した係脱具付咬合スライドファスナーを主な構成とするものである。
【００１９】
請求項２記載の発明は、請求項１記載の発明の構成に加え、凹条１の凹条咬合部４は両側または一方の先端に内向のフック状の係止片１１を形成することによって、凸条２の凸条咬合部７を嵌合係止できる嵌合凹部１０を設け、嵌合凹部１０の底部１２外側の一部に扁平状の凹条支持片５を一体に配設するとともにスライダーガイド部１３を形成し、凸条２の凸条咬合部７は断面きのこ状またはフック状の係合頭部１５を設け、係合頭部１５の後方に間隔をおいて上下面にスライダーガイド部１７を突設し、このガイド部１７の外側の一部に扁平状の凸条支持片８を一体に配設した係脱具付咬合スライドファスナーである。
【００２０】
請求項３記載の発明は、請求項１または２記載の発明の構成に加え、スライダーガイド部１７を除去する除去部１８は、少なくともスライダー４１におけるガイドフランジ４４の長さに相当する部分を除去して、スライダー４１のサイドから凸条咬合部７を挿入できる形に形成した係脱具付咬合スライドファスナーである。
【００２１】
請求項４記載の発明は、請求項１または２記載の発明の構成に加え、係脱具は、凹条１における凹条咬合部４を被覆する被覆部２１と、この被覆部２１に連接して凹条支持片５を挟着することができる挟着部２２とを設け、被覆部２１の端部には雌雄止具２９，３４における一方を配設し、凸条２における凸条咬合部７を挟持する挟持部２５と、この挟持部２５に連接して凸条支持片８を挟着することができる挟着部２６とを設け、挟持部２５の端部には雌雄止具２９，３４における他方を配設した係脱具付咬合スライドファスナーである。
【００２２】
請求項５記載の発明は、請求項４記載の発明の構成に加え、係脱具２０は、凹条１における凹条咬合部４が、その前方をやや拡開させるとともに、この凹条咬合部４を埋装する形で被覆部２１を設けた係脱具付咬合スライドファスナーである。
【００２３】
請求項６記載の発明は、請求項４記載の発明の構成に加え、係脱具２０は、凹条１における凹条咬合部４が、その前方を除く三方すなわち上下側面および後方を被覆する被覆部２１を設けた係脱具付咬合スライドファスナーである。
【００２４】
請求項７記載の発明は、請求項４記載の発明の構成に加え、凹条１の凹条咬合部４を被覆する被覆部２１の上下表面に奥行がやや拡大する浅い溝状の被係合部２３を設け、また凸条の凸条咬合部７を挟持する挟持部２５の前面に先端がやや拡大する突起状の係合部２７を設け、被係合部２３と係合部２７とが係脱できるように形成した係脱具付咬合スライドファスナーである。
【００２５】
請求項８記載の発明は、請求項４記載の発明の構成に加え、凹条１の被覆部２１または凸条２の挟持部２５に配備する雌雄止具２９、３４における雄止具３４は、平板３５上に弾性変形ができる係合突起３６を突設し、雌止具２９は平板３０上に係合突起３６が弾性変形して嵌合できる係合孔３１を設けた係脱具付咬合スライドファスナーである。
【００２６】
請求項９記載の発明は、請求項４記載の発明の構成に加え、凹条１の凹条支持片５および凸条２の凸条支持片８における係脱具２０を装着する個所に透孔状の取付孔１９を複数個宛穿設し、この取付孔１９を利用して係脱具２０を射出成形して形成した係脱具付咬合スライドファスナーである。
【００２７】
請求項１０記載の発明は、請求項４記載の発明の構成に加え、凹条１および凸条２の端部に装備する係脱具２０は、凹条１における被覆部２１および挟着部２２、また凸条２における挟持部２５および挟着部２６、さらに雌雄止具２９、３４を熱可塑性樹脂から一体成形し、この係脱具２０を凹条１および凸条２の端部すなわち凹条支持片５および凸条支持片８に嵌装し、各支持片５、８に超音波加工、または高周波加工によって溶着し、あるいは接着剤を用いて接着して固定した係脱具付咬合スライドファスナーである。
【００２８】
請求項１１記載の発明は、請求項４記載の発明の構成に加え、凹条１および凸条２の端部に装備する係脱具２０は、凹条１における被覆部２１および挟着部２２、また凸条２における挟持部２５および挟着部２６、さらに雌雄止具２９、３４を金属から一体成形し、この係脱具２０を凹条１および凸条２の端部すなわち凹条支持片５および凸条支持片８に嵌装し、各支持片５、８にプレス加工などによって圧着し固定した係脱具付咬合スライドファスナーである。
【００２９】
請求項１２記載の発明は、請求項１または２記載の発明の構成に加え、凹条１と凸条２とが咬合し、かつ凹条１と凸条２とが分離できる咬合スライドファスナーに装備するスライダー４１は、凹条１側では凹条咬合部４の外側面に摺接するガイドフランジ４４を設け、また凸条２側には凸条咬合部７の後方に配したスライダーガイド部１７の外側面に摺接するガイドフランジ４４を設け、凸条２側に設けたガイドフランジ４４間の間隔を、凸条咬合部７の厚さと略一致する形に形成し、凸条咬合部７がスライダー４１のガイドフランジ４４間をサイドから自由に通過できる形に形成した係脱具付咬合スライドファスナーである。
【００３０】
【発明の実施の形態】
以下、この発明の係脱具付咬合スライドファスナーの実施の形態について、図面を参照しながら具体的に説明する。
【００３１】
この発明の咬合スライドファスナーは、一方が凹状の凹条１から形成し、他方が凸状の凸条２から形成する。凹条１は凹条咬合部４と凹条支持片５とから形成し、凸条２は凸条咬合部７と凸条支持片８とから形成する。この凹条１と凸条２の材質は、ポリエチレン、ポリ塩化ビニルなどの柔軟性のある熱可塑性樹脂を押出成形加工によって長尺状に成形し、凹条１と凸条２とが咬合できる形態の咬合ファスナーチェンに仕上げる。
【００３２】
咬合ファスナーチェンの第１実施例は、図１に示すように凹条１は一側縁に先端が内向するフック状の係止片１１が対向し、両係止片１１間に凸条咬合部７を嵌合し係止できる嵌合凹部１０を成形した凹条咬合部４を設け、嵌合凹部１０における底部１２の外側の一部、たとえば中央部分に扁平状の凹条支持片５を一体に横方向へ向けて設けることによって、凹条支持片５の上下面にスライダー４１をガイドするためのスライダーガイド部１３が形成される。
【００３３】
他方、凹条１に咬合する凸条２は、図１に示すように一側縁の表裏両側に係止部１６を持つ断面きのこ状の係合頭部１５を形成した凸条咬合部７を設け、係合頭部１５の後方に少なくとも凹条咬合部４の係止片１１が嵌入できる間隔をおいて幹部分の上下面にスライダー４１をガイドするためのスライダーガイド部１７を突設し、このスライダーガイド部１７の外側面の一部、たとえば中央部分に扁平状の凸条支持片８を一体に横方向へ向けて設ける。
【００３４】
凹条１と凸条２とは、図１に示すようにスライダー４１の摺動動作によって咬合する。このスライダー４１の胴体４１は上翼板４５と下翼板４６とを案内柱４２によって連結し、上翼板４５および下翼板４６の両外側縁に凹条１のスライダーガイド部１３および凸条２のスライダーガイド部１７に摺接しガイドできるガイドフランジ４４が屈設されている。そしてガイドフランジ４４は凸条２側のガイドフランジ４４が凹条１側のガイドフランジ４４よりも上下の間隔がやや広く形成されている。たとえば凸条２側のガイドフランジ４４間の間隔は、凸条咬合部７におけるきのこ状の係合頭部１５の厚さに略等しい間隔に形成し、凸条２の凸条咬合部７がスライダー４１のサイドから自由に挿入できる形に形成する。
【００３５】
咬合ファスナーチェンの凹条１および凸条２の端部には、図３に示すように凹条１と凸条２とが係脱自在に形成するための係脱具２０が装備されている。係脱具２０はポリアミド、ポリアセタール、ポリプロピレン、ポリプチレンテレフタレートなどの熱可塑性樹脂またはこれらの樹脂に耐摩耗性強化材を加えた素材を用いて、射出成形手段などによって直接一体成形する。
【００３６】
成形の態様は、図７に示すように凹条１にあっては凹条咬合部４の入口側をやや拡げ凸条咬合部７が挿入できる状態で、しかもフック状の係止片１１をあらかじめ除去した状態で凹条咬合部４および凹条支持片５を埋装する形で一体成形する。また、係止片１１を内側に傾倒された状態で凹条咬合部４および凹条支持片５を埋装して一体成形するものであってもよい。そして凹条咬合部４の全体を被う分厚い被覆部２１を形成し、この被覆部２１には図３に示すように上下表面の咬合入口側の隅部に入口側が狭く奥行きがやや拡大する浅い溝状の被係合部２３が形成され、凸条２側の係脱具２０に形成された係合部２７と係合する。また被覆部２１に連接して凹条支持片５を被覆する薄い挟着部２２を形成する。
【００３７】
被覆部２１の端部であって挟着部２２の基部とにわたって雄止具３４を一体に成形する。雄止具３４は図３に示すように円形の平板３５の中央部に円筒状に突出する係合突起３６を設け、この係合突起３６は図８に示すように縦方向に複数の割溝３７を設け、かつ先端が分厚く玉縁状に形成し、係合突起３６が雌止具２９と係合したとき、容易に弾性変形ができるように弾力性が備えられている。なお平板３５の係合面３８が被覆部２１の厚さ方向の略中央に位置するように配設する。
【００３８】
凸条１における係脱具２０の成形は、図７に示すように両側に係止部１６をもつきのこ状の係合頭部１５の裏側、すなわち後端からスライダーガイド部１７にかけて凸条咬合部７を挟持し、凹条咬合部４を被覆する被覆部２１の厚さと同等の厚さの挟持部２５を形成し、この挟持部２５には図３に示すように挟持部２５の端部前面に先端がやや拡大する突起状の係合部２７を突設し、この係合部２７は凹条１側の係脱具２０に設けた被覆部２１の被係合部２３と、凹条１と凸条２とが咬合したとき、係合できるように形成する。また挟持部２５に連接して凸条支持片８を被覆する薄い挟着部２６を形成する。
【００３９】
挟持部２５の端部であって挟着部２６の基部とにわたって雌止具２９を一体に成形する。雌止具２９は図３に示すように円形の平板３０の中央部に円透孔状の係合孔３１を設け、この係合孔３１の周壁面の中央部分が図８に示すようにやや内側へ突出する突部３２を形成し、雄止具３４の係合突起３６を弾性変形させて係合孔３１に係合させると、突部３２によって凹条１の係合突起３６の脱却を阻止するように形成されている。なお平板３０の係合面３３は挟持部２５の厚さ方向の略中央に位置するように配設して、雄止具３４と整然と重合し係合できるように形成する。
【００４０】
なお、係脱具２０に配設する雌止具２９と雄止具３４とを凹条１と凸条２に逆に配置し、たとえば凹条１の被覆部２１の端部と挟着部２２の基部とにわたって雌止具２９を一体に成形し、凸条２の挟持部２５の端部と挟着部２６の基部とにわたって雄止具３４を一体に成形して装備させても機能的には同じである。
【００４１】
係脱具２０を取り付けた凹条１と凸条２の使用態様を説明すると、図４〜６に示すようにまず係脱具２０の被覆部２１を装着した凹条咬合部４にスライダー４１を挿通して被覆部２１に当接させた後、凹条１に配した雄止具３４に凸条２に配した雌止具２９を係合させ、凸条２を凹条１に近付ける方向へ回動させると同時に、凸条２の凸条咬合部７およびスライダーガイド部１７を除去した除去部１８をスライダー４１のガイドフランジ４４間に挿入させ、挟持部２５に形成した係合部２７を凹条１の被覆部２１に形成した被係合部２３に押圧して係合させた後、スライダー４１をスライドファスナーの閉鎖方向へ摺動させることにより、凹条１の凹条咬合部４と凸条２の凸条咬合部７とを咬合させ、咬合スライドファスナーを閉鎖させることができる。
【００４２】
閉鎖された咬合スライドファスナーを閉口分離させるには、スライダー４１を係脱具２０側へ摺動させ、被覆部２１に当接させた後、凸条支持片８を掴持して凸条２と凹条１とを離れる方向へ引張ると係合部２７が被係合部２３から脱却し、雌雄止具２９、３４を中心に凹条１と凸条２を回動させ、凸条２の凸条咬合部７および除去部１８がスライダー４１のガイドフランジ４４間から脱出させた後、雌止具２９を雄止具３４から抜脱させることによって、凹条１と凸条２とを互いに分離し開放させることができる。
【００４３】
咬合ファスナーチェンの第２実施例について説明すると、図２に示すように凹条１は、一側縁に先端の一方側が内向するフック状の係止片１１を形成し、他方対向側は平坦な舌片１４が対向する形に形成され、係止片１１と舌片１４の間に凸条咬合部７を嵌合して係止できる嵌合凹部１０が形成された凹条咬合部４を設ける。嵌合凹部１０における底部１２の外側の一部、たとえば中央より下寄りの部分に扁平状の凹条支持片５を一体に横方向へ向けて設け、凹条支持片５の上下にスライダー４１をガイドするためのスライダーガイド部１３を形成する。
【００４４】
凸条２は、図２に示すように一側縁に凹条１の係止片１１と対向するため、先端が内向するフック状の係止部１６を設けて係合頭部１５を形成した凸条咬合部７を設け、係止部１６が凹条１の係止片１１と係合できるように形成する。この係合頭部１５の後方に少なくとも凹条咬合部４の係止片１１が嵌入できる間隔をおいて幹部分の上下にスライダー４１をガイドするためのスライダーガイド部１７を突設し、スライダーガイド部１７は上面が凹条咬合部４の上面と一致するように突出し、下面は凹条咬合部４の下面と一致するように突設する。このスライダーガイド部１７の外側面の一部、たとえば凹条支持片５の位置と一致する部分に扁平状の凸条支持片８を横方向へ向けて設ける。
【００４５】
この咬合ファスナーチェンに用いられるスライダー４１は、上翼板４５のガイドフランジ４４が凹条咬合部４側が大きく突出し、凸条咬合部７側が小さく、すなわち凸条咬合部７における係合頭部１５の係止部１６の厚さに略等しい間隔を確保するように短く突出させ、凸条２の係合頭部１５が自由にガイドフランジ４４間を挿脱できるように形成する。したがって下翼板４６のガイドフランジ４４は両側が同一の形であってもよい。
【００４６】
この咬合ファスナーチェンの凹条１および凸条２の端部に装備する係脱具２０については、第１実施例の係脱具２０と同一であり、その説明を省略する。
【００４７】
凹条１および凸条２の端部に係脱具２０を直接一体射出成形する他の実施例について説明すると、図９に示すように凹条１における凹条支持片５と凸条２の凸条支持片８との端部に係脱具２０を射出成形するための透孔状の取付孔１９を複数個穿設し、この取付孔１９を利用して樹脂製の係脱具２０を射出成形する。成形された係脱具２０は取付孔１９を通じて上下が連結され、係脱具２０の取付強度を高め、堅牢な係脱具付咬合スライドファスナーに仕上げることができる。
【００４８】
次に凹条１および凸条２の端部に係脱具２０を装着する手段として、直接凹条１および凸条２に係脱具２０を射出成形するのではなく、係脱具２０を別個に射出成形して形成し、形成した係脱具２０を凹条１が挿入できる凹条挿入部２４、凸条２が挿入できる凸条挿入部２８とに凹条１および凸条２を挿入した後、固定して取り付けることができる。
【００４９】
たとえば図１０に示すように、係脱具２０を熱可塑性樹脂を用いて一体射出成形し、凹条１側の係脱具２０には凹条１を挿入できる凹条挿入部２４を設け、凹条挿入部２４は凹条咬合部４を挿入できる分厚い被覆部２１を設け、被覆部２１は凹条咬合部４における咬合入口側を除く三方を被う形に形成し、被覆部２１の背面に連接して凹条支持片５を上下両面から挟着できる挟着部２２を一体に横設する。また被覆部２１における上下表面にあって、入口側が狭く奥行きがやや拡大する浅い溝状の被係合部２３を形成する。この被係合部２３は凸条２側に設けた挟持部２５の係合部２７と、凹条１と凸条２とが咬合した際に係合できるように形成し、被覆部２１および挟着部２２は凹条挿入部２４の底部分と挟着部２２の側面で表裏面が連結されている。
【００５０】
さらに被覆部２１の端部と挟着部２２の基部とにわたって雄止具３４を一体に配し、雄止具３４は円形の平板３５の中央部に円筒状に突出する係合突起３６を設け、この係合突起３６は複数の割溝３７を設け、先端は玉縁状に形成し、係合突起３６が雌止具２９と係合したとき、容易に弾性変形ができるように形成する。なお平板３５の係合面３８が被覆部２１の厚さ方向の略中央に位置するように配設する。
【００５１】
凸条２側の係脱具２０には凸条２を挿入できる凸条挿入部２８を設け、スライダーガイド部１７を所定の長さに除去した除去部１８を設け、この除去部１８を上下両面から挟持できる分厚い挟持部２５を設け、挟持部２５の背面に連接して凸条支持片８を上下両面から挟持できる挟着部２６を一体に横設する。上下の挟持部２５の端部前面であって表面に近い部分に先端がやや拡大する突起状の係合部２７を突設し、この係合部２７は凹条１側の係脱具２０に設けた被覆部２１の被係合部２３と、凹条１と凸条２とが咬合したときに係合できるように形成し、挟持部２５および挟着部２６は凸条挿入部２８の底部分と挟着部２６の側面で表裏面が連結されている。
【００５２】
さらに挟持部２５の端部と挟着部２６の基部とにわたって雌止具２９を配し、雌止具２９は円形の平板３０の中央部に円透孔状の係合孔３１を設け、この係合孔３１の周壁面の中央部分がやや内側へ突出する突部３２を形成し、雄止具３４の係合突起３６を弾性変形させて係合孔３１に係合させると突部３２によって係合突起３６の脱却を阻止する形に形成する。なお平板３０の係合面３３は挟持部２５の厚さ方向の略中央に位置するように配設する。
【００５３】
一体成形された樹脂製の係脱具２０を凹条１および凸条２に装着するには、図１０、１１に示すように凹条１および凸条２の端部を係脱具２０に設けた凹条挿入部２４および凸条挿入部２８に挿入し、係脱具２０の挟着部２２、２６をそれぞれ凹条支持片５、凸条支持片８に超音波加工、高周波加工などによって溶着するか、または接着剤を用いて凹条支持片５および凸条支持片８に係脱具２０を接着して取り付ける。
【００５４】
また凹条１および凸条２の端部に装着する係脱具２０を、前記した形態でアルミニウム合金、または亜鉛合金などの金属を用いてダイカスト成形手段によって成形することにより形成してもよい。一体成形された金属製の係脱具２０に形成した凹条挿入部２４および凸条挿入部２８に凹条１および凸条２の端部を挿入し、挿入後係脱具２０の挟着部２２、２６をそれぞれ凹条支持片５、凸条支持片８にプレス加工によってプレスし挟着して取り付ける。なおプレスの際、凹条咬合部４を圧迫変形しないように形成する。またこの咬合ファスナーチェンに用いるスライダーの形態および使用態様は前記第１実施例の咬合ファスナーチェンと同一である。
【００５５】
最後に図１２に示す凹条１および凸条２に設ける係脱具２０は前例の係脱具２０の形態とは異なり、凹条１の係脱具２０は凹条咬合部４の下端に被覆部２１を設け、この被覆部２１に連接して、凹条支持片５の下端を挟着する挟着部２２を設け、この挟着部２２は下端に被覆部２１の下端を経て係合時の凸条支持片８の外側縁に向けて突出する突片３９を横設し、この突片３９の先端に雌止具２９を一体に設けて、凸条２に設けた雄止具３４と係合できるように形成する。
【００５６】
凸条２の係脱具２０は凸条支持片８の下端に挟着部２６を設け、この挟着部２６の外側縁下端に下方へ突出する突片４０を垂設し、この突片４０の雄止具３４を一体に設けて、凹条１に設けた雌止具２９と係合できるように形成する。
【００５７】
この形態の係脱具２０は、図１３に示すように凹条１と凸条２とが、雌雄止具２９、３４によって枢支する地点が凹条咬合部４と凸条咬合部７とが咬合する延長線上ではなく、咬合延長線上から凸条支持片８の外側へずれているため、咬合操作も多少異なり、まずスライダー４１を凹条咬合部４の被覆部２１に当接する状態で保持し、凸条支持片８の突片４０に設けた雄止具３４と凹条支持片５の突片３９に設けた雌止具２９とを係合させた後に、図１１に示すように凸条咬合部７およびスライダーガイド部１７を除去した除去部１８をスライダー４１のガイドフランジ４４間に挿入し、凹条咬合部４と凸条咬合部７とを咬合させ、スライダー４１を咬合ファスナーチェンの閉鎖方向へ摺動させることで咬合ファスナーチェンは閉鎖される。
【００５８】
閉鎖された咬合ファスナーチェンを開口し分離するには、スライダー４１を被覆部２１に当接するように摺動し、その後凸条支持片８を雌雄止具２９、３４を中心として回動させて凸条の咬合部７および除去部１８をスライダー４１から脱却した後、雌止具２９から雄止具３４を抜脱して凹条１と凸条２とを分離できる。
【００５９】
【発明の効果】
この発明の係脱具付咬合スライドファスナーは、以上説明したとおりの構成であり、この構成によって下記の効果を奏する。
【００６０】
この発明のうち請求項１記載の発明は、熱可塑性樹脂製の凹条と凸条とが咬合するスライドファスナーで、凹条と凸条との咬合部の終端における凸条のスライダーガイド部を除去し、スライダーのサイドから凸条咬合部を挿入して凹条咬合部に係合可能に形成し、凹条と凸条の終端を係脱できる係脱具を凹条と凸条とにそれぞれ一体に配設したことによって、凹条と凸条とをスライダーの摺動操作により、凹条と凸条とを簡単かつ円滑に咬合させ、また分離開放させることができ、スライダーのサイドから凸条を挿脱できるように形成した全く新しい咬合タイプの便利なスライドファスナーが得られる効果がある。
【００６１】
請求項２記載の発明は、請求項１記載の発明の効果に加え、凹条咬合部は両側または一方の先端に内向のフック状の係止片を備え、凸条咬合部を嵌合できる嵌合凹部を形成し、嵌合凹部の底部外側に凹条支持片を一体に配設するとともにスライダーガイド部を形成し、凸条咬合部は断面きのこ状またはフック状の係合頭部を設け、係合頭部の後方に間隔をおいてスライダーガイド部を突設し、該ガイド部の外側に凸条支持片を一体に配設したことによって、凹条と凸条との咬合部が横方向において咬合できる分離開放タイプに適した形態であり、スライダーの操作性およびガイド性が優れた咬合タイプのスライドファスナーが得られる効果がある。
【００６２】
請求項３記載の発明は、請求項１または２記載の発明の効果に加え、スライダーガイド部を除去した除去部は、少なくともスライダーのガイドフランジの長さに相当する部分を除去したことによって、凹条と凸条とを横方向に咬合させ、有効かつ容易に凸条をスライダーのガイドフランジ間に挿脱でき、スライダーの始動を円滑に行うことができる効果がある。
【００６３】
請求項４記載の発明は、請求項１または２記載の発明の効果に加え、係脱具が凹条咬合部を被う被覆部と被覆部に連接して凹条支持片を挟着する挟着部を設け、被覆部の端部に雌雄止具の一方を配し、凸条咬合部を挟持する挟持部と挟持部に連接して凸条支持片を挟着する挟着部を設け、挟着部の端部に雌雄止具の他方を配したことによって、凹条咬合部と凸条咬合部とを簡易に係脱させることができ、また凹条咬合部と凸条咬合部とを凹条および凸条の基部に簡易に設置できる効果がある。
【００６４】
請求項５記載の発明は、請求項４記載の発明の効果に加え、係脱具は凹条咬合部の前方をやや拡げて、凹条咬合部を埋装する被覆部を設けたことによって、凹条咬合部に対し凸条咬合部を容易に係脱させることができる効果がある。
【００６５】
請求項６記載の発明は、請求項４記載の発明の効果に加え、係脱具は凹条咬合部の前方を除く三方を被う被覆部を設けたことによって、凹条咬合部の基部を堅牢な構造に仕上げることができる効果がある。
【００６６】
請求項７記載の発明は、請求項４記載の発明の効果に加え、被覆部の上下表面に奥行がやや拡大する浅い溝状の被係合部を設け、挟持部の前面に先端がやや拡大する突起状の係合部を設け、被係合部と係合部とが係脱可能に形成したことによって、凹条と凸条に装着した係脱具の係合時に簡単に係脱具が解放できないよう係合機能を果たし、スライダーの始動を容易にすることができる効果がある。
【００６７】
請求項８記載の発明は、請求項４記載の発明の効果に加え、雌雄止具における雄止具は、平板上に弾性変形可能な係合突起を突設し、雌止具は平板上に係合突起が嵌合できる係合孔を設けたことによって、係脱具を簡単な構造の雌雄止具によって円滑かつ的確に係脱操作が行える効果がある。
【００６８】
請求項９記載の発明は、請求項４記載の発明の効果に加え、凹条支持片および凸条支持片における係脱具を装着する個所に透孔状の取付孔を複数個穿設して係脱具を射出成形したことによって、凹条および凸条の端部に係脱具を強固に取り付けることができ、耐久性のある咬合タイプのスライドファスナーが得られる効果がある。
【００６９】
請求項１０記載の発明は、請求項４記載の発明の効果に加え、係脱具は、凹条の被覆部および挟着部、また凸条の挟持部および挟着部、さらに雌雄止具を熱可塑性樹脂から一体成形し、該係脱具を凹条および凸条の端部に嵌装し、各支持片に溶着または接着して固定したことによって、熱可塑性樹脂製の係脱具を凹条、凸条の端部に咬合動作に支障を来すことなく的確かつ有効に、しかも簡易に装着させることができる効果がある。
【００７０】
請求項１１記載の発明は、請求項４記載の発明の効果に加え、係脱具は、凹条の被覆部および挟着部、また凸条の挟持部および挟着部、さらに雌雄止具を金属から一体成形し、該係脱具を凹条および凸条の端部に嵌装し、各支持片に加圧挟着して固定してたことによって、金属製の係脱具を凹条、凸条の端部に咬合動作に支障を来すことなく的確かつ有効に、しかも簡易に装着させることができる効果がある。
【００７１】
請求項１２記載の発明は、請求項１または２記載の発明の効果に加え、スライダーは、凹条側では凹条咬合部の外側面に摺接するガイドフランジを設け、また凸条側には凸条咬合部の後方に配したスライダーガイド部の外側面に摺接するガイドフランジを設け、凸条側のガイドフランジ間の間隔は少なくとも凸条咬合部の厚さと同等に形成したことによって、凹条と凸条とを横方向に咬合させ、かつ分離開放ができるタイプの咬合スライドファスナーのスライダーとして適した形態に仕上げられ、かつ円滑に操作ができる効果があるなど、この発明が奏する効果はきわめて顕著である。
【図面の簡単な説明】
【図１】
咬合ファスナーチェンの第１実施例の横断面図である。
【図２】
咬合ファスナーチェンの第２実施例の横断面図である。
【図３】
咬合スライドファスナーに係脱具を射出成形した要部の斜視図である。
【図４】
同上咬合スライドファスナーにおける具体的な作用状態を示した説明図である。
【図５】
同上咬合スライドファスナーにおける具体的な作用状態を示した説明図である。
【図６】
同上咬合スライドファスナーにおける具体的な作用状態を示した説明図である。
【図７】
同上咬合スライドファスナーにおける図６のＡ−Ａ線断面図である。
【図８】
同上咬合スライドファスナーにおける図６のＢ−Ｂ線断面図である。
【図９】
他の咬合ファスナーチェンの凹条と凸条の斜視図である。
【図１０】
他の実施例に基づく咬合スライドファスナーの凹条、凸条、係脱具の斜視図である。
【図１１】
同上咬合スライドファスナーの要部の斜視図である。
【図１２】
他の咬合スライドファスナーにおける具体的な作用状態を示した説明図である。
【図１３】
同上咬合スライドファスナーにおける具体的な作用状態を示した説明図である。
【図１４】
公知の咬合スライドファスナーの斜視図である。
【図１５】
他の公知の分離可能な咬合スライドファスナーの要部の斜視図である。  
【符号の説明】
１            凹条
２            凸条
４            凹条咬合部
５            凹条支持片
７            凸条咬合部
８            凸条支持片
１０            嵌合凹部
１１            係止片
１２            底部
１３            スライダーガイド部
１５            係合頭部
１７            スライダーガイド部
１８            除去部
１９            取付孔
２０            係脱具
２１            被覆部
２２            挟着部
２３            被係合部
２４            凹条挿入部
２５            挟持部
２６            挟着部
２７            係合部
２８            凸条挿入部
２９            雌止具
３０            平板
３１            係合孔
３４            雄止具
３５            平板
３６            係合突起
４１            スライダー
４４            ガイドフランジ